(57)【特許請求の範囲】
【請求項１】
筒体の後端からノック部材を突出せしめた状態で配置すると共に、そのノック部材の前方にノック部材の押圧操作によって筆記体を繰り出す後端ノック式筆記具であって、前記筒体の内壁面に小径部を形成すると共に、その小径部に少なくとも１つの貫通溝と、後端は閉鎖せしめられているが前端は貫通した非貫通溝を形成すると共に、前記ノック部材には前記貫通溝を通過する突起を形成し、その貫通溝を通過したノック部材の突起を非貫通溝に係合せしめ、これによって、前記ノック部材は筒体に対して相対的に回転不能ではあるものの、直線移動は可能に配置したことを特徴とする後端ノック式筆記具。
【発明の詳細な説明】
【０００１】
【発明の属する技術分野】
本発明は、筒体の後端からノック部材を突出せしめた状態で配置し、そのノック部材の前方に筆記体を配置せしめた後端ノック式筆記具、例えば、後端に配置されているノック部材を押圧することによって軸体内部のボールペン体を出没させる筆記具であったり、あるいは、ノック部材が取り付けられている後軸を押圧することによって芯の繰り出しを行うシャープペンシルなどの筆記具に関する。
【０００２】
【従来の技術】
一例として、特公昭６１−５０８８０号公報がある。詳述すると、後軸筒７の内部には、軸方向に移動可能なノック部材８とそのノック部材８を後方に付勢するバネ１３、並びに、前記後軸筒７に対して前後動不能ではあるが、回転自在な回転カム６などが配置されている。また、前記ノック部材８は、後軸筒７の後端開口７１から突出しているが、その脱落防止は、ノック部材８の鍔部８１が後軸筒７の後端内面に当接することによってなされている
【０００３】
【発明が解決しようとする課題】
しかしながら、上記従来の技術にあっては、比較的長い後軸筒７の内側に複数の小さな部品を入れ、組み立てなければならず、その作業が困難であり、生産性が悪いものであった。具体的には、回転カム６の上方に、バネ１３を遊嵌したノック部材８を載置し、そのノック部材８の上方から後軸筒７を被せるようにして組み立てたり、或いは、後軸筒７を逆さまにしてノック部材８を挿入し、ついで、バネ１３を挿入した後に回転カム６を嵌入することによって組み立てていた。しかし、前者の組立方法にあっては、回転カム６にバネ１３を介してノック部材８を単に載せているだけなので安定性がなく、後軸筒７を被せる際にちょっとした振れで脱落してしまったり、また、後者の組立方法にあっては、見えない後軸筒７の内部で位置合わせなどをしなければならず、これもまた、困難性を極めるものであった。
【０００４】
【課題を解決するための手段】
本発明は、上記問題点に鑑みてなされたものであり、筒体の後端からノック部材を突出せしめた状態で配置すると共に、そのノック部材の前方にノック部材の押圧操作によって筆記体を繰り出す後端ノック式筆記具であって、前記筒体の内壁面に小径部を形成すると共に、その小径部に少なくとも１つの貫通溝と、後端は閉鎖せしめられているが前端は貫通した非貫通溝を形成すると共に、前記ノック部材には前記貫通溝を通過する突起を形成し、その貫通溝を通過したノック部材の突起を非貫通溝に係合せしめ、これによって、前記ノック部材は筒体に対して相対的に回転不能ではあるものの、直線移動は可能に配置したことを要旨とする。
【０００５】
【実施例】
本発明の実施の形態を図示した実施例に基づいて詳細に説明する。
図１〜図６は本発明の第１実施例である。１は前軸で、その後部には、シリンダー２が螺着などの手段によって着脱自在に取り付けられている。そのシリンダー２には、３個の孔３、４、５（何れも図示されず）が形成されているが、後部は、その孔３、４、５が切り欠かれている。つまり、シリンダー２の前方部は外径が円形状（円形状部９）をなしており、その円形状部９の後方には、断面が半円弧状の貫通孔６、７、８（図示されず）が形成されている。そして、その貫通孔６、７、８には、１本のシャープペンシルユニット１０と２本のボールペン１１、がコイルスプリングなどの弾撥部材１２によって後方に付勢された状態で摺動自在に配置されている。また、それらシャープペンシルユニット１０と２本のボールペン１１の後方には、パイプ１０ａ、１１ａが着脱自在に嵌着されており、また、そのパイプ１０ａ、１１ａの後端には、摺動子１３が固着されている。つまり、前記筆記体１０、１１は、シャープペンシルユニットへの芯の補充や、インキが減ったボールペンの交換を行うためにパイプ１０ａ、１１ａに着脱自在に嵌着されている。前記摺動子１３の側面には、三角形の１つの角部を頂部とする係合部１４が形成されている。符号１５は、シャープペンシルユニット１０を作動せしめるノック棒である。
【０００６】
前記シリンダー２の後端の外周部には、部分的には途切れているが、周上突起１６が形成されている。その周上突起１６には、カム筒１７の内面周上凹部１８が係合しており、前記シリンダー２に対して回転可能ではあるものの、前後動不能に取り付けられている。また、前記カム筒１７の下端には傾斜したカム面１９が形成されており、そのカム面１９の下端には、前記摺動子１３の係合部１４と係合する三角形状の凹部２０が形成されている。例えば、シャープペンシルユニット１０を突出させる場合には、シャープペンシルユニット１０に嵌着している摺動子１３の係合部１４が、前記カム筒１７の凹部２０に係合し、その（シャープペンシルユニット１０の）後退が阻止されるのである。さらに、カム筒１７の内面には小径部２１が形成されており、その小径部２１には、後端まで形成された貫通溝２２と、後端が閉鎖せしめられた非貫通溝２３とが交互に、本例においては各々４箇所に形成されている。
【０００７】
前記カム筒１７には、ノック部材２４がその後部を突出させた状態で取り付けられている。そのノック部材２４の前方部には、前記カム筒１７の貫通溝２２を通過し得、また、非貫通溝２３に係合し得る突部２５が４箇所に形成されている。また、ノック部材２４の中間部には、前記カム筒１７の内径より大径の鍔部２６と、回転防止突起２７が形成されており、後端部には、螺子部２８が形成されている。尚、前記カム筒１７とノック部材２４との間には、コイルスプリングなどの弾撥部材２９が張設されており、ノック部材を常に上方に付勢している。
ここで、符号３０は、前記ノック部材２４やカム筒１７並びにシリンダー２の頤部を覆うように配置された後軸であり、前記ノック部材２４は、その後軸３０に螺子３１によって固定せしめられているが、ノック部材２４の回転防止突起２７が後軸３０の後端に形成されている切欠き部に係合することによって、ノック部材２４と後軸３０との相対的な回転も確実に防止されている。
符号３２はクリップであり、前記ノック部材２４と軸筒３０の後端との間に挾み込まれて固定されている。また、符号３３は前記螺子３１に着脱自在に螺着された天冠であり、消しゴム３４をカバ−している。
【０００８】
符号３５はシャープペンシルユニット１０の外パイプで、その外パイプ３５の後端には前記摺動子１３が圧入している。符号３６はシャープペンシルユニット１０の芯タンクで、前記ノック棒１５の先端が適宜隙間を形成し対向位置している。その隙間の形成は、ノック棒１５や芯タンク３６の長さ寸法のばらつきを考慮してのことである。つまり、互いに短く形成してしまった場合には、芯の繰り出し操作が行えるが、長く形成してしまった場合には、前記ノック棒１５が芯タンク３６を常に押圧した状態となってしまうのである。そして、その押圧動作により、シャ−プペンシルユニット１０の芯を把持するチャック体（本例では図示せず：第２例の図８参照）が解放した状態、或は、解放まではしないまでも把持力が弱まってしまい、芯の繰り出し動作が行えなくなるばかりでなく、筆記中に芯が没入してしまうといった問題が発生してしまうのである。
【０００９】
次に作用について説明する。
シャープペンシルユニット１０の先端の先部材が前軸先端より内方に収納されている状態（図１の状態）より、突出状態（図６参照）にするには、後軸３０を右方向（或いは、左方向）に回転させると、カム筒１７とノック部材２４とが一緒に回転する。そして、前記カム筒１７の回転によって、シャープペンシルユニット１０の摺動子１３の係合部１４が前記カム筒１７のカム面１９に沿って押圧、前進せしめられ、やがて先部が前軸１の先端から突出する。このとき、前記係合部１４は、カム筒１７の凹部２０に係止され（図４参照）、その後退が阻止されると共に、シャープペンシルユニット１０の後退も阻止される。
また、このとき、前述したようにノック部材２４も回転しているので、そのノック部材２４の内面突起３７が、シャープペンシルユニット１０のノック棒１９の上方に位置する。この状態で、頭冠３３（後軸３０）を押圧、前進させると、内面突起３７がノック棒１９を押圧、前進せしめ、そのノック棒１９の前進によって前記芯タンク３６が前進させられ、芯が一定長繰り出される。
【００１０】
筆記終了後、シャープペンシルユニット１０を収納したい場合には、後軸３０を左方向（或いは、右方向、どちらでも良い）に回転させると、前記カム筒１７やノック部材２４が回転し、係合部１４と凹部２０との係止が解除され、弾撥部材１２の作用によってシャープペンシルユニット１０が、後退、収納される。
尚、ボールペン１１を前軸１より突出させる場合においても、前記と同様に後軸３０を前軸１に対して左方向に回転させても良く、或いは、右方向に回転させても良い。つまり、例えば、後軸３０を前軸１に対して、連続的に左方向に回転させると、シャープペンシルユニット１０が突出、収納し、次いで、ボールペン１１が突出、収納し、次いで、他のボールペン１１が突出、収納する。そして、この動作が繰り返されるのである。後軸３０を連続的に右方向に回転させても同様である。しかし、突出は左回転、収納は右回転といった使用方法もできる。要は、回転させる方向に捕らわれず、筆記体を突出、収納させることができるのである。
【００１１】
次に、組み立て方法について説明する。最初に、図２に示すごとく各筆記体１０、１１に摺動子１３を圧入し、この時、シャ−プペンシル１０の摺動子１３には、ノック棒１５をも挿着する。次いで、図３に示すごとく、前記の筆記体１０、１１をシリンダー２の貫通孔６〜８に挿入せしめる。また、ノック部材２４をカム筒１７に弾撥部材２９を介して組み付けるが、この時は、ノック部材２４の突起２５をカム筒１７の貫通溝２２に後方から合わせ、挿入し通過せしめる。次いで、突起２５が貫通溝２２を通過した段階で、相対的に回転させ、前記弾撥部材２９の弾撥力によってノック部材２４の突起２５を非貫通溝２３に落し込み係合せしめる。
次に、前記の組立によって出来上がった２つのユニット（カムユニットＡ、シリンダーユニットＢ）を合体せしめ、１つのユニット（内部機構Ｃ）にする。その合体の方法としては、前記シリンダー２に形成されている周上突起１６に、カム筒１７の内面周上凹部１８を係合せしめることによってなされる（図４参照）。
【００１２】
次に、その１ユニット化された内部機構Ｃをクリップ３２が取り付けられた後軸３０の前方部分から挿入し、ノック部材２４の螺子部２８を後軸３０の後端から露出せしめる。そして、その螺子部２８に雌螺子３１を螺着し、後軸３０にクリップ３２と共に固定する（図５参照）。
最後に、消しゴム３４、天冠３３、前軸１を取り付け組み立てが完了する（図６参照）。
【００１３】
第２実施例を図７〜図１２に示し説明する。３８は前軸で、その後部には、シリンダー３９が螺着などの手段によって着脱自在に取り付けられている。そのシリンダー３９の側面中間部には、スリット４０が長手方向に形成されており、そのスリット４０と連設して内面溝４１が下端部まで形成されている。また、シリンダー３９には、摺動子４２が摺動自在に配置されているが、摺動子４２の縦突起４３が前記スリット４０並びに内面溝４１に係合することによって、シリンダー３９に対する回転は防止されている。前記摺動子４２には、シャープペンシルユニット４４の外軸３６が嵌合しており、芯タンク３５の上方には、その芯タンク３５を押圧し、芯の繰り出し動作を行うノック棒４５が配置している。また、前記シリンダー３９と摺動子４２との間には、カム筒４６が配置されており、そのカム筒４６には前記摺動子４２の縦突起４３を押圧し、前進せしめるカム面４７が形成されている。また、カム筒４６の内面には、小径部４８が形成されており、その小径部４８には、後端まで形成された貫通溝４９と、後端が閉鎖せしめられた非貫通溝５０とが各々１箇所に形成されているが、前記第１実施例のように複数形成しても良い。さらに、カム筒４６には、ノック部材５１がその後部を突出させた状態で取り付けられている。そのノック部材５１の中間部には、前記カム筒４６の貫通溝４９を通過し得、また、非貫通溝５０に係合し得る突部５２が形成されている。尚、前記カム筒４６とノック部材５１との間には、コイルスプリングなどの弾撥部材５３が張設されており、ノック部材を常に上方に付勢している。
また、前記ノック部材５１には、先端突出部５４が形成されており、前記ノック棒４５に形成されている突起５５に当接し得るようになっている。つまり、ノック部材５１を回転させると、ノック棒４５の突起５５の上方に先端突出部５４が位置する。
符号５６は、後軸であり、前記第１実施例と同様の手段によって前記ノック部材５１を固定している。
【００１４】
次に作用について説明する。図７の状態より後軸５６を回転させると、ノック部材５１並びに、そのノック部材に係合しているカム筒４６が回転し、摺動子４２が前進すると共にシャープペンシルユニット４４も押圧、前進せしめられ、やがてその先部が前軸３８の先端から突出する。尚、この時、摺動子４２とともにノック棒４５も回転しながら前進し、ノック部材５１の先端突出部５４がノック棒４５の突起５５の上方に位置する（図１２参照）。芯の繰り出しを行う場合には、後軸５６を押圧すれば、ノック部材５１並びに、ノック棒４５を介して芯タンク３５が押圧され、チャック体５７が前進し、所定量の芯が繰り出される。
次に組み立て方法について説明する。前記第１実施例と同様にノック部材５１の突起５２とカム筒４６の貫通溝４９とをカム筒４６の後方より位置合わせし、その状態で挿入し、貫通せしめる。次いで、ノック部材５１とカム筒４６とを相対的に回転せしめ、突起５２を非貫通溝５０に係合する。
【００１５】
第３実施例を図１３、図１４に示し説明する。本発明をロータリー式の出没機構、一般的には、「デビットカム」と称されているカム機構に応用した実施例である。以下詳述すると、軸筒５８の中間部内側には、カム筒５９が固定されているが、前記軸筒５８と一体であっても良い。そのカム筒５９には、小径部６０が形成されており、その小径部６０には、対向した２箇所に後端まで形成された貫通溝６１と、後端が閉鎖せしめられた非貫通溝６２とが形成されている。また、貫通溝６１と非貫通溝６２と間で形成される小径部６０の下端部には傾斜面６３が形成されている。さらに、カム筒５９には、ノック部材６４がその後部を突出させた状態で取り付けられている。そのノック部材６４の中間部には、前記カム筒５９の貫通溝６１を通過し得、また、非貫通溝６２に係合し得る突部６５が対向した２箇所に形成されている。尚、前記カム筒５９とノック部材６４との間には、コイルスプリングなどの弾撥部材６６が張設されており、ノック部材を常に上方に付勢している。
【００１６】
また、前記ノック部材６４の下端面には、後述する回転子６７を回転せしめる山形傾斜面６８が均等に複数形成されている。
その摺動子６７の上面には、前記カム筒５９の傾斜面６３や、ノック部材６４の山形傾斜面６８と当接し、その当接によって回転せしめられる傾斜突起６９が複数形成されている。符号７０は、ボ−ルペン体であり、前記回転子６７の前進・後退によって軸筒５８の先端から突出したり、没入したりする。
次に作用について説明する。ノック部材６４を押圧し、回転子６７を前進・回転させ、回転子６７の傾斜突起６９が前記カム筒５９の傾斜面６３に係止されると、前記ボ−ルペン体７０が突出状態となる。ここで、再び、ノック部材６４を押圧すれば、再び回転子６７が回転し、前記傾斜面６３との係止が解除され、傾斜突起６９が貫通溝６１や非貫通溝６２に落ち込む。この落ち込み動作によってボ−ルペン体７０も後退し軸筒５８内に没入する。
【００１７】
次に組み立て方法について説明する。前記第１実施例と同様にノック部材６４の突起６５とカム筒５９の貫通溝６１とをカム筒５９の後方より位置合わせし、その状態で挿入し、貫通せしめる。次いで、ノック部材６４とカム筒５９とを相対的に回転せしめ、突起６５を非貫通溝６２に係合する。
以上のように本発明においては、ノック部材をカム筒（筒体）の後方から組み立てることができるので、ノック部材の上方に大きな人形などの装飾具をノック部材と一体に形成しても良い。
【００１８】
【発明の効果】
本発明によると、筒体の後端からノック部材を突出せしめた状態で配置すると共に、そのノック部材の前方にノック部材の押圧操作によって筆記体を繰り出す後端ノック式筆記具であって、前記筒体の内壁面に小径部を形成すると共に、その小径部に少なくとも１つの貫通溝と、後端は閉鎖せしめられているが前端は貫通した非貫通溝を形成すると共に、前記ノック部材には前記貫通溝を通過する突起を形成し、その貫通溝を通過したノック部材の突起を非貫通溝に係合せしめ、これによって、前記ノック部材は筒体に対して相対的に回転不能ではあるものの、直線移動は可能に配置したので、容易に組み立てることができ、よって、生産性に優れた後端ノック式の筆記具を提供することができる。
【図面の簡単な説明】
【図１】  本発明を示す縦断面図（筆記体突出時）。
【図２】  図１の要部斜視図。
【図３】  組立過程を示す要部斜視図。
【図４】  組立過程を示す要部斜視図。
【図５】  組立過程を示す要部斜視図。
【図６】  組み立てが完了した斜視図。
【図７】  第２実施例を示す縦断面図（筆記体没入時）。
【図８】  本発明に使用されるシャ−プペンシルユニットの縦断面図。
【図９】  組立過程を示す要部斜視図。
【図１０】  組立過程を示す要部斜視図。
【図１１】  図１０の斜視図。
【図１２】  作動例示す縦断面図（筆記体突出時）
【図１３】  第３例を示す縦断面図。
【図１４】  組立過程を示す要部斜視図。
【符号の説明】
１      前軸
２      シリンダ−
３      孔
４      孔
５      孔
６      貫通孔
７      貫通孔
８      貫通孔
９      円形状部
１０    シャープペンシルユニット
１１    ボ−ルペン
１２    弾撥部材
１３    摺動子
１４    係合部
１５    ノック棒
１６    周状溝
１７    カム筒
１８    凹部
１９    カム面
２０    凹部
２１    小径部
２２    貫通溝
２３    非貫通溝
２４    ノック部材
２５    突部
２６    螺子部
２７    回転防止突起
２８    螺子部
２９    弾撥部材
３０    後軸
３１    螺子
３２    クリップ
３３    天冠
３４    消しゴム
３５    外パイプ
３６    芯タンク
３７    内面突起
【図１】
0003864542.tif 000002
【図２】
0003864542.tif 000003
【図３】
0003864542.tif 000004
【図４】
0003864542.tif 000005
【図５】
0003864542.tif 000006
【図６】
0003864542.tif 000007
【図７】
0003864542.tif 000008
【図８】
0003864542.tif 000009
【図９】
0003864542.tif 000010
【図１０】
0003864542.tif 000011
【図１１】
0003864542.tif 000012
【図１２】
0003864542.tif 000013
【図１３】
0003864542.tif 000014
【図１４】
0003864542.tif 000015